(57)【要約】【課題】  掘起した作物の残幹や残根の掘り起こしと同時に畝を崩して畝溝を埋め、畝溝に植生する雑草を埋没させると共に残幹や残根を回収できる植物掘起し装置を提供することを課題とする。【解決手段】  進行方向に対して左右方向姿勢の回転軸２３を中心として回転する左右支持部材２２，２２を設け、左右支持部材２２，２２の間に植物の残幹Ｔを圃場から掘り起こす複数の掘起し体２７を設けた植物掘起し装置において、回転軸２３の中心部から機体外側方向に畝を崩して畝溝に土を排出する左右螺旋体２８ａ，２８ｂからなる排土部材２８を設けると共に、複数の掘起し体２７に残幹Ｔを後方に案内する排土部材２８よりも大径の左右案内部材２９，２９を設けて構成する。【選択図】  図３
2009011248.tif 000002
【特許請求の範囲】
【請求項１】
進行方向に対して左右方向姿勢の回転軸（２３）を中心として回転する左右支持部材（２２，２２）を設け、該左右支持部材（２２，２２）の間に植物の残幹（Ｔ）を圃場から掘り起こす複数の掘起し体（２７）を設けた植物掘起し装置において、機体外側方向に畝を崩して畝溝に土を排出する排土部材（２８）を設けたことを特徴とする植物掘起し装置。
【請求項２】
前記排土部材（２８）を左右螺旋体（２８ａ，２８ｂ）で構成したことを特徴とする請求項１記載の植物掘起し装置。
【請求項３】
前記複数の掘起し体（２７）に排土部材（２８）の径よりも大径である残幹（Ｔ）を後方に案内する左右案内部材（２９，２９）を設けたことを特徴とする請求項１及び２記載の植物掘起し装置。
【発明の詳細な説明】
【技術分野】
【０００１】
本発明は、作物の収穫後に圃場に残る残幹や残根を掘り出す植物掘起し装置に関するものである。
【背景技術】
【０００２】
従来、植物掘起し装置としては、特許文献１に示されるように、回動軸芯を中心とする同心円状に複数のロータリ刃を設けた抜根装置を回転させ、ロータリ刃で残幹を掘り起こすものが存在する。
【特許文献１】特開２００７−１１６９２７号公報
【発明の開示】
【発明が解決しようとする課題】
【０００３】
しかしながら、特許文献１に記載される植物掘起し装置は、残幹を掘り起こす際に掘り起こした土や石をロ−タリー刃と回動軸芯との間隔部から逃がすことができるが、土や石は畝上に落下するため畝溝を埋めることができず、掘り起こした残幹が畝溝に落ちてしまうと残幹の掘り起こし作業後にレーキ等を用いて残幹を収集する際に、畝溝に落ちた残幹を集め損なってしまうという欠点があった。
【０００４】
そして、畝溝が埋められないことによって、畝溝に植生する雑草を埋没させることができないので、作業者は残幹の掘り起こし作業後に雑草を引き抜いたり埋没させたりする作業を行わねばならないという欠点があった。
【課題を解決するための手段】
【０００５】
請求項１の発明は、進行方向に対して左右方向姿勢の回転軸（２３）を中心として回転する左右支持部材（２２，２２）を設け、該左右支持部材（２２，２２）の間に植物の残幹（Ｔ）を圃場から掘り起こす複数の掘起し体（２７）を設けた植物掘起し装置において、機体外側方向に畝を崩して畝溝に土を排出する排土部材（２８）を設けたことを特徴とする植物掘起し装置とした。
【０００６】
従って、複数の掘起し体（２７）で植物の残幹（Ｔ）を圃場から掘り起こしながら、回転軸（２３）に設けた排土部材（２８）で畝を崩した土を機体外側方向に排出し、畝溝を埋めることができる。
【０００７】
請求項２の発明は、前記排土部材（２８）を左右螺旋体（２８ａ，２８ｂ）で構成したことを特徴とする請求項１記載の植物掘起し装置とした。
従って、排土部材（２８）を左右螺旋体（２８ａ，２８ｂ）としたことによって、左右螺旋体（２８ａ，２８ｂ）は畝を崩しながら土を機体外側方向に螺旋の回転に乗せて排出し、畝溝を埋めることができる。
【０００８】
請求項３の発明は、前記複数の掘起し体（２７）に排土部材（２８）の径よりも大径である残幹（Ｔ）を後方に案内する左右案内部材（２９，２９）を設けたことを特徴とする請求項１及び２記載の植物掘起し装置とした。
【０００９】
従って、左右案内部材（２９，２９）は排土部材（２８）が崩した畝の土を機体外側方向に排出することを妨げることなく掘り起こした残幹（Ｔ）を後方に案内することができる。
【発明の効果】
【００１０】
請求項1記載の発明によれば、複数の掘起し体（２７）で植物の残幹（Ｔ）を掘り起こすと共に排土部材（２８）で畝を崩した土を機体外側方向に排出して畝溝を埋めることにより、畝と畝溝の高低差が小さくなるので、掘り起こした残幹（Ｔ）が畝溝上に落ちても残幹（Ｔ）をレーキ等で収集することができるので、収集し損なった残幹（Ｔ）を人手で回収する作業が省略され、作業者の労力が軽減される。
【００１１】
また、畝溝を土で埋めることによって、畝溝に植生する雑草を地中に埋めることができるので、残幹（Ｔ）の掘り起こし作業後に雑草を引き抜いたり埋没させたりする作業を省略することができるので、作業者の労力が軽減される。
【００１２】
そして、雑草を処理するために除草剤等の薬品を用いる必要もなくなるので、圃場や周囲の環境に悪影響を与えることを防止することができる。
請求項２記載の発明によれば、請求項1記載の発明の効果に加えて、左右螺旋体（２８ａ,２８ｂ）で畝を崩した土を機体外側方向に排出することによって、土は螺旋に沿って確実に排出されて畝溝を埋めるため、畝と畝溝の高低差がさらに小さくなるので、畝溝上に残幹（Ｔ）が落ちた残幹（Ｔ）をレーキ等がより収集しやすくなるので、収集し損なった残幹（Ｔ）を人手で回収する作業が省略され、作業者の労力が軽減される。
【００１３】
請求項３記載の発明によれば、請求項1及び２記載の発明の効果に加えて、左右案内部材（２９，２９）の径が排土部材（２８）の径よりも大径であるので、排土部材（２８）が排出する土は排土部材（２８）と左右案内部材（２９，２９）との間を通過して機体外側方向の畝溝上に排出されるため、左右案内部材（２９，２９）に当たって畝上に土が戻されることが防止され、畝溝を確実に埋めることができる。
【００１４】
また、左右案内部材（２９，２９）を設けたことによって、残幹（Ｔ）を機体左右方向に向かって掘り起こしてしまっても、左右案内部材（２９，２９）が残幹（Ｔ）の動きを規制して機体後方へと案内するので、残幹が畝溝に落ちることが減り、残幹（Ｔ）の回収作業の能率が向上する。
【発明を実施するための最良の形態】
【００１５】
本発明の実施の形態について、一実施例としてトラクタ等の作業車両に装着し、圃場に残るたばこの残幹Ｔを圃場から掘り起こすと共に、残幹Ｔを掘り起こした後の畝を崩して土を畝溝に排出するたばこの残幹掘起し装置を説明する。
【００１６】
図１〜４に示すように、たばこの残幹掘起し装置は、トラクタに連結されると共にトラクタから駆動力を受ける連結部Ａと、トラクタのＰＴＯ軸から受ける駆動力を伝動する伝動部Ｂと、伝動部Ｂから駆動力を受けて圃場から残幹Ｔを掘り起こす掘起しロータリ部Ｃと、残幹掘起し装置の作業時及び非作業時の姿勢を安定させる支持フレーム部Ｄとから構成される。
【００１７】
先ず、連結部Ａの構成について説明する。
トラクタ１のＰＴＯ軸２にユニバーサルジョイント３の一側を取り付け、該ユニバーサルジョイント３の他側を伝動ケース４の受軸５に取り付ける。また、該伝動ケース４の左右側に左右伝動軸カバー６，６を取り付けると共に、該左右伝動軸カバー６，６に左右連結プレート７，７を取り付ける。そして、該左右連結プレート７，７の前側上部に回動自在な左右連結フレーム８，８の基部を取り付ける。さらに、前記伝動ケース４の上部に左右トップリンク支持アーム９，９の基部を回動自在に取り付けると共に、該左右トップリンク支持アーム９，９の略中央部に左右連結フレーム８，８の端部を取り付ける。そして、前記左右連結プレート７，７の前側下部をトラクタ１の左右ロワーリンク１０，１０で連結すると共に、前記左右トップリンク支持アーム９，９の左右間にトラクタ１のトップリンク１１で連結することによって、トラクタ１に残幹掘起し装置を連結すると共にトラクタ１から駆動力を受ける連結部Ａが構成される。
【００１８】
次に、伝動部Ｂの構成について説明する。
前記伝動ケース４の受軸５の一端にベベルギア１２を取り付けると共に、伝動ケース４と左右伝動軸カバー６，６との内部に該ベベルギア１２と噛み合うベベルギア１４を軸着した伝動軸１３を回転自在に取り付ける。そして、前記左右伝動軸カバー６，６の左右一側端にロータリ伝動ケース１５を取り付け、該ロータリ伝動ケース１５の内側上部に伝動軸１３の左右一端に軸着される駆動スプロケット１６を内装する。また、該ロータリ伝動ケース１５の内側下部に従動スプロケット１７を回転自在に内装し、該従動スプロケット１７と駆動スプロケット１６との間にチェーン１８を無端状に巻き掛ける。さらに、該ロータリ伝動ケース１５の機体外側にカバー１９を着脱自在に取り付けることによって、伝動部Ｂが構成される。
【００１９】
上記構成によれば、ロータリ伝動ケース１５を機体左右一側に設けたことによって、後述するロータリ部Ｃに駆動力を伝動する伝動機構が簡略化されるため残幹掘起し装置のメンテナンス性が向上すると共に、部品数を少なくすることができるので、コストダウンを図ることができる。
【００２０】
また、ロータリ伝動ケース１５の機体外側にカバー１９を着脱自在に取り付けたことによって、機体外側からカバー１９を外すだけで内装する駆動スプロケット１７等のメンテナンスや交換を行うことができると共に、十分な広さがある状態でメンテナンスや交換を行うことができるので、メンテナンス性が向上する。
【００２１】
次に、ロータリ部Ｃについて説明する。
前記左右伝動軸カバー６，６の左右他側端にサイドカバー２０をボルト等で取り付けると共に、該サイドカバー２０と前記ロータリ伝動ケース１５の機体内側下部に左右ジョイント２１Ｌ，２１Ｒを取り付ける。そして、該左右ジョイント２１Ｌ，２１Ｒの機体内側に左右ロータリ支持プレート２２，２２を取り付け、該左右ロータリ支持プレート２２，２２を貫通させて前記ロータリ伝動ケース１５に内装した従動スプロケット１７にロータリ回転軸２３の左右一側端を軸着すると共に、前記サイドカバー２０を設けた側の右ジョイント２１Ｒに内装したベアリング２４にロータリ回転軸２３の左右他側端を軸着する。また、前記左右ロータリ支持プレート２２，２２の外周縁部に夫々３個ずつ取付板２６，２６，２６を均等に間隔を開けて取り付けると共に、該左右の取付板２６，２６，２６の左右間に亘って残幹Ｔを圃場から掘り起こす３枚の掘起し板２７，２７，２７をボルト等で固定して取り付ける。さらに、前記ロータリ回転軸２３の機体左右方向中央部に左右ロータリ支持プレート２２，２２と略同径の円形の補助プレート２５を取り付け、前記掘起し板２７，２７，２７の内側からボルト等で固定する。また、前記ロータリ回転軸２３の外周縁部に畝を崩して土を機体左右方向の畝溝に排出する左右螺旋刃２８ａ，２８ｂからなる排土刃２８を補助プレート２５と左右ロータリ支持プレート２２，２２との間に亘って取り付ける。さらに、前記掘起し板２７，２７，２７の外周縁部に左右螺旋刃２８ａ，２８ａよりも大径である残幹Ｔの左右方向への移動を規制する左右案内板２９，２９をボルト等で取り付けることによって、ロータリ部Ｃが構成される。
【００２２】
上記構成によれば、掘起し板２７，２７，２７で植物の残幹Ｔを掘り起こすと共に、左右螺旋刃２８ａ，２８ｂで畝を崩した土を機体左右外側方向に排出して畝溝を埋めることにより、土は螺旋に沿って確実に排出されて畝溝を埋めるため、畝と畝溝の高低差が小さくなるので、掘り起こした残幹Ｔが畝溝上に落ちても残幹Ｔをレーキ等で収集することができるので、収集し損なった残幹を人手で回収する作業が省略され、作業者の労力が軽減される。
【００２３】
また、畝溝を土で埋めることによって、畝溝に植生する雑草を地中に埋めることができるので、残幹Ｔの掘り起こし作業後に雑草を引き抜いたり埋没させたりする作業を省略することができるので、作業者の労力が軽減される。
【００２４】
そして、雑草を処理するために除草剤等の薬品を用いる必要もなくなるので、圃場や周囲の環境に悪影響を与えることを防止することができる。
さらに、左右案内板２９，２９の径が左右螺旋刃２８ａ，２８ｂの径よりも大径であるので、左右螺旋体２８ａ，２８ｂが排出する土は左右螺旋体２８ａ，２８ｂと左右案内部板２９，２９との間を通過して機体左右外側方向の畝溝上に排出されるため、左右案内板２９，２９に当たって畝上に土が戻されることが防止されるので、畝溝を確実に埋めることができ、残幹の収集や雑草の埋没を適正に行うことができる。
【００２５】
次に、支持フレーム部Ｄについて説明する。
前記伝動ケース４の下方で且つロータリ伝動ケース１５とサイドカバー２０との間にメインフレーム３０を取り付ける。そして、該メインフレーム３０の左右両側に内側に左右スライドレール３２，３２を取り付けた左右サイドフレーム３１，３１を取り付けると共に、該左右サイドフレーム３１，３１の外側からロータリ伝動ケース１５とサイドカバー２０とをボルト等で固定する。また、前記左右スライドレール３２，３２にロータリ部Ｃが掘り起こした残幹Ｔの上方への移動を規制する上部カバー３３を機体前後方向に移動自在に取り付けると共に、該上部カバー３３の先端に機体左右方向に亘ってロータリ部Ｃが残幹Ｔを掘り起こし易くするために残幹Ｔを押し倒す円柱形の残幹押さえ体３４を取り付ける。さらに、前記上部カバー３３の下部に残幹Ｔの左右方向への移動を規制する左右案内板３５，３５を取り付ける。
【００２６】
そして、前記左右サイドフレーム３１，３１の後部に左右接続プレート３６，３６を取り付け、該左右接続プレート３６，３６の左右機体外側に複数の穴を設けた左右ボス３７，３７を取り付ける。また、該左右ボス３７，３７に複数の穴を設けた左右転輪支持フレーム３８，３８を挿し入れ、該左右転輪支持フレーム３８，３８の穴と左右ボス３７，３７の穴とを合わせてボルトとナット等で固定すると共に、左右転輪支持フレーム３８，３８の下端部に畝溝を走行して残幹掘起し装置を支持する左右転輪３９，３９を取り付ける。
【００２７】
さらに、前記左右サイドフレーム３１，３１の前部に左右接続プレート４０，４０を取り付け、該左右接続プレートの左右機体外側に穴を設けた左右ボス４１，４１を取り付ける。そして、該左右ボス４１，４１に複数の穴を設けた残幹掘起し装置を支持する左右スタンド４２，４２を取り付けると共に、該左右スタンド４２，４２の穴と左右ボス４１，４１の穴とをボルトとナット等で固定することによって、支持フレーム部Ｄが構成される。
【００２８】
上記構成によれば、先端部に残幹押さえ体３４を取り付けた上部カバー３３が左右スライドレール３２，３２に沿って前後方向に移動自在であるため、上部カバー３３を残幹Ｔをロータリ部Ｃが最も掘り起こし易い角度に押し倒せる位置に移動させることができるので、残幹Ｔを適正に掘り起こすことができ、作業能率が向上する。
【００２９】
また、残幹掘起し装置を搬送するときや収納するときには、上部カバー３３がメインフレーム３０の下方の空間部に収まるように移動させることによって、残幹掘起し装置をコンパクトにすることができ、積載するトラックが小型であったり収納場所が狭かったりしても、残幹掘起し装置を載置することができる。
【００３０】
そして、上部カバー３３の下部に左右案内板３５，３５を取り付けていることによって、残幹Ｔの上方への動きだけでなく左右方向の動きも規制することができるので、残幹Ｔをロータリ部Ｃの掘起し板２７，２７，２７の作用域に確実に送ることができるので、残幹Ｔがメインフレーム３０や上部カバー３３に引っ掛かって残幹掘起し装置を止めてしまうことが防止され、作業能率が向上する。なお、この左右案内板３５，３５の左右幅は、ロータリ部Ｃの左右案内板２９，２９の左右幅と同じ程度にすると、残幹Ｔをより確実にロータリ部Ｃに送り、機体後部に排出することができる。
【００３１】
さらに、左右転輪支持フレーム３８，３８に設けた複数の穴と左右ボス３７に設けた複数の穴とを合わせることによって、左右転輪３９，３９の高さが変更されるので、畝溝の高さ等に合わせて左右転輪３９，３９の高さを変更して残幹掘起し装置の姿勢を安定させることができるので、作業能率が向上する。
【００３２】
また、左右ボス４１，４１に設けた穴と左右スタンド４２に設けた穴とを合わせることによって、左右スタンド４２，４２の高さを調節できるため、トラクタ１から残幹掘起し装置を外すときや残幹掘起し装置のメンテナンスを行うときなど、作業場所の条件に応じて左右スタンド４２，４２の高さを合わせておくと、残幹掘起し装置が倒れて地面にぶつかることを防止することができるので、機体の耐久性が増すと共に、倒れた残幹掘起し装置が作業者に当たって怪我をさせることも防止できるので、安全性が向上する。
【００３３】
さらに、掘起し作業中は左右スタンド４２，４２の最下端の穴と左右ボス４１，４１の穴を合わせて固定することによって、作業者は簡単に左右スタンド４２，４２を非作用状態にすることができ、作業者の労力が軽減される。
【００３４】
以下、本件残幹掘起し装置の別実施例について説明する。
図５で示すように、ロータリ部Ｃの補助プレート２５に左右螺旋体２８ａ，２８ｂの左右幅よりも短い掘起し板４３，４３，４３を取り付けると共に、該掘起し板４３，４３，４３の外周縁部に左右案内板２９，２９を取り付ける構成とする。
【００３５】
上記構成によれば、左右螺旋体２８ａ，２８ｂの左右外側部が掘起し板４３，４３，４３の左右外側端部よりも機体外側にあるため、左右螺旋体２８ａ，２８ｂが機体左右外側方向の畝溝上に搬送する崩した畝の土を掘起し板４３，４３，４３が別の方向に飛ばしてしまうことが防止されるので、土は螺旋に沿って確実に排出されて畝溝を埋めて畝との高低差が小さくなり、掘り起こした残幹Ｔが畝溝上に落ちても残幹Ｔをレーキ等で収集することができ、収集し損なった残幹を人手で回収する作業が省略され、作業者の労力が軽減される。
【００３６】
また、畝溝を土で埋めることによって、畝溝に植生する雑草を地中に埋めることができるので、残幹Ｔの掘り起こし作業後に雑草を引き抜いたり埋没させたりする作業を省略することができるので、作業者の労力が軽減される。
【００３７】
そして、雑草を処理するために除草剤等の薬品を用いる必要もなくなるので、圃場や周囲の環境に悪影響を与えることを防止することができる。
また、図６で示すように、掘起し板４３，４３，４３で残幹を掘り起こす残幹掘起し装置において、排土刃２８を左右案内板２９，２９の機体外側と左右ロータリ支持プレート２２，２２との間の長さと略同じ長さの左右螺旋刃４４ａ，４４ｂで構成し、該左右螺旋刃４４ａ，４４ｂを左右案内板２９，２９の機体外側と左右ロータリ支持プレート２２，２２との間に設けてもよい。
【００３８】
上記構成によれば、掘起し板４３，４３，４３で畝の略中央部に残っている残幹を掘り起こし、左右螺旋刃４４ａ，４４ｂで畝を左右側方から崩して土を機体左右外側方向の畝溝上に排出することにより、掘起し板４３，４３，４３と左右螺旋刃４４ａ，４４ｂとが互いに干渉し合うことが無くなるので、作業能率が向上する。
【００３９】
図７で示すように、排土刃２８を、螺旋の外周縁部が掘起し板２７，２７，２７と略平行となるように曲率を小さくした左右螺旋刃４５ａ，４５ｂで構成してもよい。
上記構成によれば、左右螺旋刃４５ａ，４５ｂは畝を崩して土を機体左右外側方向の畝溝上に排出するだけでなく、残幹Ｔに接触すれば掘起し板２７，２７，２７，２７と共に残幹Ｔを掘り起こすことができるので、より確実に残幹Ｔが掘り起こされて作業能率が向上すると共に、掘り取り残した残幹を掘り取る作業が省略されるので、作業者の労力が軽減される。
【００４０】
図８で示すように、上部カバー３３の後端部に回動軸４６を取り付け、該回動軸４６を左右スライドレール３２，３２に沿って前後移動自在に取り付けると共に、該左右スライドレール３２，３２の前端部で回動軸４６を回動支点として上部カバー３３が上下方向に回動する構成としてもよい。
【００４１】
上記構成によれば、残幹掘起し装置のメンテナンスを行うときなどに左右スタンド４２，４２に加えて上部カバー３３を下方回動させて接地させておくと、残幹掘起し装置をより倒れにくくなるため、残幹掘起し装置が倒れて地面にぶつかることを防止することができるので、機体の耐久性が増すと共に、倒れた残幹掘起し装置が作業者に当たって怪我をさせることも防止できるので、安全性が向上する。
【００４２】
なお、左右接続プレート４０，４０と左右ボス４１，４１と左右スタンド４２，４２とを取り外しても、左右方向に幅広い上部カバー３３は左右スタンド４２，４２の代わりになる安定性を有するので、残幹掘起し装置の部品数を減らすことができて構成が簡略化されると共に、コストダウンを図ることができる。
【００４３】
図９で示すように、左右案内板２９，２９の機体外側方向に夫々３本の機体外側方向に屈曲させた複数の左右土飛ばし爪４７，４７・・・を取り付ける構成とする。
上記構成によれば、左右螺旋刃２８ａ，２８ｂが畝を崩した土を機体左右外側方向の畝溝上に排出するのに加えて、左右土飛ばし爪４７，４７・・・も畝溝上に土を飛ばすので、畝と畝溝の高低差をより小さくすることができ、掘り起こした残幹Ｔが畝溝上に落ちても残幹Ｔをレーキ等で収集することができ、収集し損なった残幹を人手で回収する作業が省略され、作業者の労力が軽減される。
【００４４】
また、畝溝を埋める土の量が増えることによって、畝溝に植生する雑草をより地中深く埋めることができるので、埋めた畝溝から雑草が再び生えてくることが抑制され、圃場が雑草に荒らされるのを防止できる。
【００４５】
そして、雑草を処理するために除草剤等の薬品を用いる必要もなくなるので、圃場や周囲の環境に悪影響を与えることを防止することができる。
図１０で示すように、掘起し刃２７，２７，２７の内側で且つ掘起し刃２７，２７，２７の掘り起こし作用部の反対側に向けて機体外側方向に屈曲させた複数の左右土飛し爪４８，４８・・・を取り付ける構成としてもよい。
【００４６】
上記構成によれば、掘起し刃２７，２７，２７の内側から複数の左右土飛ばし爪４８，４８・・・を取り付けたことによって、掘起し刃２７，２７，２７は残幹掘り起こし作業を行いながら畝の土を機体左右外側方向の畝溝上に搬送することができるので、より畝溝が早く埋められて畝と畝溝の高低差が小さくなるので、掘り起こした残幹Ｔが畝溝上に落ちても残幹Ｔをレーキ等で収集することができるので、収集し損なった残幹を人手で回収する作業が省略され、作業者の労力が軽減される。
【００４７】
また、畝溝を土で埋めることによって、畝溝に植生する雑草を地中に埋めることができるので、残幹Ｔの掘り起こし作業後に雑草を引き抜いたり埋没させたりする作業を省略することができるので、作業者の労力が軽減される。
【００４８】
そして、雑草を処理するために除草剤等の薬品を用いる必要もなくなるので、圃場や周囲の環境に悪影響を与えることを防止することができる。
また、掘起し刃２７，２７，２７の掘り起こし作用部の反対側から複数の左右土飛ばし爪４８，４８・・・の屈曲部を延出させることによって、たばこの残幹の掘り起こしは掘起し刃２７，２７，２７のみで行われるので、掘り起こし性能が衰えることは無く、能率よく掘り起こし作業を行うことができる。
【００４９】
なお、複数の左右土飛ばし爪４８，４８・・・を取り付け自在にしておくことによって、不要な場合には左右土飛ばし爪４８，４８・・・を取り外しておけば、左右土飛ばし爪４８，４８・・・が無駄に摩耗することを防止でき、土飛ばし効果を保つことができる。また、畝溝に水が溜まっているなどして畝溝上に残幹を落としたくないときでも、図１１に示すように、左右土飛ばし爪４８，４８・・・の屈曲部を機体内側方向に向けることによって、左右土飛ばし爪４８，４８・・・は畝上に土を盛り上げるようになるため、畝上から畝溝に残幹が落ちることを防止できる。
【図面の簡単な説明】
【００５０】
【図１】残幹掘起し装置を装着したトラクタの側面図
【図２】残幹掘起し装置の側面図
【図３】残幹掘起し装置の背面図
【図４】残幹掘起し装置の伝動機構図
【図５】掘起し板を短くした残幹掘起し装置の背面図
【図６】螺旋体の配置を変更した残幹掘起し装置の背面図
【図７】螺旋体の曲率を変更した残幹掘起し装置の背面図
【図８】上部カバーがスタンドを兼ねる残幹掘起し装置の背面図
【図９】案内板に土飛ばし爪を取り付けた残幹掘起し装置の部分拡大図
【図１０】掘起し板に土飛ばし爪を取り付けた残幹掘起し装置の部分拡大図
【図１１】掘起し板に土飛ばし爪を取り付けた残幹掘起し装置の部分拡大図
【符号の説明】
【００５１】
２２          ロータリ支持プレート（支持部材）
２３          ロータリ回転軸（回転軸）
２７          掘起し板（掘起し体）
２８          排土刃（排土部材）
２８ａ        螺旋体
２８ｂ        螺旋体
２９          案内部材
【図１】
2009011248.tif 000003
【図２】
2009011248.tif 000004
【図３】
2009011248.tif 000005
【図４】
2009011248.tif 000006
【図５】
2009011248.tif 000007
【図６】
2009011248.tif 000008
【図７】
2009011248.tif 000009
【図８】
2009011248.tif 000010
【図９】
2009011248.tif 000011
【図１０】
2009011248.tif 000012
【図１１】
2009011248.tif 000013